(57)【要約】【課題】ペン先に掛かるインクの流動圧を一定圧に制御して、インク直流現象・逆流現象を防止したボールペン、マーキングペンなどに好適な筆記具を提供する。【解決手段】インクタンク１０の前部にペン先２０を装着し、インクタンク１０内に収容したインク２５と、該インク２５後部にはフォロワ３０が充填された状態で、フォロワ３０の後部とインクタンク１０後端部との空間部１２に毛管力を付与した毛管多孔体４０を配置すると共に、キャップをした際、ペン先２０全体をシールすることを特徴とする筆記具。【選択図】図１
2014108600.tif 000002
【特許請求の範囲】
【請求項１】
インクタンク前部にペン先を装着し、インクタンク内に収容したインクと、該インクの後部にはフォロワが充填された状態で、フォロワの後部とインクタンク後端部との空間部に液体を含浸させることにより毛管力を付与した毛管多孔体を配置すると共に、キャップをした際、ペン先をシールすることを特徴とする筆記具。
【請求項２】
ペン先側に付与された毛管力がインクの自重と筆記具後部の毛管力との総和より大きいことを特徴とする請求項１記載の筆記具。
【請求項３】
毛管多孔体は、スリット部を有する部材と接触していることを特徴とする請求項１又は２記載の筆記具。
【発明の詳細な説明】
【技術分野】
【０００１】
本発明は、ペン先に掛かるインクの流動圧を一定圧に制御して、インク直流現象・逆流現象を防止したボールペン、マーキングペンなどに好適な筆記具に関する。
【背景技術】
【０００２】
一般的に、ディスプレイ性に優れ、インク残量が分かりやすい、インク容器などの筆記具本体にインクと該インクの後端部に充填したフォロワ（追従体）という形態となる筆記具は、インクの直流を防ぐために、ボールペンチップや微小に可動するバルブ方式を付与している構造となるものが数多く採用されている。
【０００３】
前者のようなボールペンチップを用いてインクの直流を防いでいる筆記具は、保管時等によりチップを下向きにして非筆記面に接触させ続けた時でもチップからインクが直流しにくようにインクを設計している場合が多く、インク設計の幅が狭くなってしまう。
また、後者で採用するバルブ方式の筆記具では、筆記時にガタがあるため、書き味が悪く、バルブを開いている時間によって、インク流量が変わってしまうため、文字書きと直線書きでの描線濃度に差が出やすいという問題があった。
【０００４】
このような問題の解決を試みようとした筆記具として、例えば、
１）  バルブ式の筆記具において、ポンピング感等の違和感を生じることなくスムーズな開弁操作を可能して、かつ、閉弁のためのスプリング力が十分でインキの漏れやボタオチを確実に防止できる筆記具を提供するために、ペン芯が一定のストロ−ク以上後退動作しかつ特定の抵抗荷重以上の押圧力が加わったときに開弁してインク収容部内のインクをペン芯に向けて流通させる弁機構を有するバルブ式の筆記具であって、バルブが開弁するまでのストロークの間、ペン芯の後退動作に応じてペン芯の押圧に対する抵抗荷重を増加させていく弾性部材からなるダミーポンピング部を軸筒先端部に設けた構造の筆記具（例えば、特許文献１参照）、
２）  内部に液体を収容し、該液体を吐出する吐出手段と接続され、吐出手段を通じて内容液体が消費されるに伴って消費された内容液体の体積に見合う空気を内部に取り込む空気流通手段を設けた液体吐出具の液体貯蔵容器において、前記空気流通手段として、常温で固体のオルガノポリシロキサンからなる空気交換壁を配置すると共に、前記容器の内外の連通に要する最小距離が１．０μｍ以上０．２ｍｍ以下であることを特徴とする液体吐出具の液体貯蔵容器（例えば、特許文献２参照）、
【０００５】
３）  自由状態でインキを収容するインキタンク内と連通する、インキ消費に伴うインキタンク内のインキの体積変化に応じてインキタンク内圧を維持すべく外気を取り込むための空気流通路を形成してなる筆記具において、前記空気流通路に、接触する壁部材との接触角θが０＜θ≦９０°で、且つ表面張力αが１０ｄｙｎ／ｃｍ≦α≦７３ｄｙｎ／ｃｍ（２０℃）である粘性流体による粘性流体層を配置し、前記インキの体積変化に係るインキタンク内圧の減少に伴って一時的に前記粘性流体層に空気流通孔を形成することを特徴とした筆記具（例えば、特許文献３参照）、
４）  インキを流動的に直接収容し且つ後端を開口させた内筒と、この内筒との間に空気交換手段を介して外部と流通する所要の断面積の空間が確保されるように該内筒を同軸遊嵌状に内設し且つ後端を閉鎖させた外筒と、この外筒と前記内筒との前端開口に備えるペン先とを有し、内筒内空間のインキの界面から連ねた状態で該内筒内空間の後端開口を介して連絡する外筒内の前記空間の後部側に、ペン先に掛かるインキの流動圧を一定圧に制御するバランス液体を流動的に収容してなる事を特徴とする筆記具（例えば、特許文献４参照）、
５）  インキ収容室に生インキ状態で収容したインキをペン先に供給するようにした筆記具であって、インキ収容室がインキの消費につれて容積減少するように、インキ収容室を形成する壁部に可動壁部を設けたものにおいて、前記可動壁部を前記インキ収容室との区画壁部に有するとともに弾性壁部と毛細管力による液膜形成壁部とを外界との区画壁部に有する空気室を設けたことを特徴とする筆記具（例えば、特許文献５参照）、などが知られている。
【０００６】
これらの特許文献１〜５に記載の各筆記具は、従来の構造のものよりは改良されて、その性能は向上しているが、未だインク直流現象がみられたりするので、不十分であった。
また、本発明の近接技術を開示している上記特許文献５では、内圧変化対応のための弾性膜体を付与しているが、この弾性体に反力（戻る力）が無い場合、透過による加圧分を抑えることが出来なく、また、外気圧が大気圧よりも低くなった場合、内圧は加圧状態になり、外気圧の低下が大気圧以内であっても、その後加温されると、内圧は加圧状態となってしまうものであり、更に、弾性膜体に反力を付与すると、温度変化により、体積が増加した場合、反力分、加圧状態になってしまい、当該弾性膜体では、内圧変化には未だ十分に対応してない。
【先行技術文献】
【特許文献】
【０００７】
【特許文献１】特開２００８−２６５２０３号公報（特許請求の範囲、図面等）
【特許文献２】特開２００１−９６９６９号公報（特許請求の範囲、図面等）
【特許文献３】特開２００１−１０２８０号公報（特許請求の範囲、図面等）
【特許文献４】特開平１１−９９７９０号公報（特許請求の範囲、図面等）
【特許文献５】特開平７−１９５８９１号公報（特許請求の範囲、図面等）
【発明の概要】
【発明が解決しようとする課題】
【０００８】
本発明は、上記従来技術の課題に鑑み、これを解消しようとするものであり、ペン先に掛かるインクの流動圧を一定圧に制御して、インク直流現象・逆流現象を防止したボールペン、マーキングペンなどに好適な筆記具を提供することを目的とする。
【課題を解決するための手段】
【０００９】
本発明者らは、上記従来の課題等を解決するために、鋭意検討した結果、インクタンク前部にペン先を装着し、インクタンク内に収容したインクと、該インク後部にはフォロワが充填された状態で、フォロワの後部とインクタンク後端部との空間部に特定構造の多孔体を配置すると共に、キャップをした際、ペン先をシールする構成などとすることにより、上記目的の筆記具が得られることを見出し、本発明を完成するに至ったのである。
【００１０】
すなわち、本発明は、次の（１）〜（３）に存する。
（１）  インクタンク前部にペン先を装着し、インクタンク内に収容したインクと、該インクの後部にはフォロワが充填された状態で、フォロワの後部とインクタンク後端部との空間部に液体を含浸させることにより毛管力を付与した毛管多孔体を配置すると共に、キャップをした際、ペン先をシールすることを特徴とする筆記具。
（２）  ペン先側に付与された毛管力がインクの自重と筆記具後部の毛管力との総和より大きいことを特徴とする上記（１）記載の筆記具。
（３）  毛管多孔体は、スリット部を有する部材と接触していることを特徴とする上記（１）又は（２）記載の筆記具。
【発明の効果】
【００１１】
本発明によれば、ペン先に掛かるインクの流動圧を一定圧に制御して、インク直流現象・逆流現象を防止したボールペン、マーキングペンなどに好適な筆記具が提供される。
【図面の簡単な説明】
【００１２】
【図１】本発明の実施形態の一例を示す筆記具の図面であり、（ａ）は縦断面図、（ｂ）は平面図、（ｃ）は要部を示す部分拡大縦断面図である。
【図２】キャップ体を取り付けてペン先をシールした状態を示す縦断面図である。
【図３】本発明の実施形態の他例を示す筆記具の図面であり、（ａ）は縦断面図、（ｂ）は平面図、（ｃ）は要部を示す部分拡大縦断面図である。
【図４】本発明の実施形態の他例を示す筆記具の図面であり、（ａ）は縦断面図、（ｂ）は平面図、（ｃ）は要部を示す部分拡大縦断面図である。
【図５】本発明の実施形態の他例を示す筆記具の図面であり、（ａ）は縦断面図、（ｂ）は平面図、（ｃ）は要部を示す部分拡大縦断面図である。
【図６】本発明の実施形態の他例を示す筆記具の図面であり、（ａ）は縦断面図、（ｂ）はキャップ体を取り付けてペン先をシールした状態を示す縦断面図である。
【図７】本発明の実施形態の他例を示す筆記具の図面であり、（ａ）は縦断面図、（ｂ）はキャップ体を取り付けてペン先をシールした状態を示す縦断面図である。
【発明を実施するための形態】
【００１３】
以下に、本発明の実施形態を図面を参照して詳しく説明する。
図１及び図２は、本発明の実施形態の一例（第１実施形態）を示す筆記具の各図面である。
本実施形態の筆記具Ａは、マーキングペンタイプの筆記具であり、図１及び図２に示すように、筆記具本体（軸部）となるインクタンク１０と、該インクタンク１０の前部に装着したペン先２０と、上記インクタンク１０内に収容したインク２５と、該インク２５後部に充填したフォロワ（追従体）３０と、該フォロワ（追従体）３０が充填された状態で、フォロワ３０の後部とインクタンク１０の後端部との空間部１２に配置した毛管力を付与した毛管多孔体４０と、ペン先２０全体をシールするキャップ体５０とを有している。
【００１４】
このインクタンク１０としては、収容するインクに含有される原材料の経時的な悪影響を受けないものが好ましく、例えば、ポリプロピレン（ＰＰ）、ポリエチレンナフタレート（ＰＥＮ）、ポリエチレンテレフタレート（ＰＥＴ）、ポリエチレン（ＰＥ）などの樹脂や、アルミニウム等の金属などの視認性、または、非視認性の材料を用いて構成することができる。本実施形態では、インクタンク１０は、ポリプロピレン（ＰＰ）を使用して円筒状に成形され、筆記具本体として機能する。
得られるインクタンクの肉厚（厚さ）は、収容するインク種、用いる樹脂などの材料種、筆記具種などにより変動するが、好ましくは、強度、耐溶剤透過性、吸湿抑制、成形性、デザイン性などの点から、好ましくは、０．０５〜２．０ｍｍ、更に好ましくは、０．３〜１．５ｍｍとすることが望ましい。
【００１５】
ペン先２０は、繊維束を加工又はこれらの繊維束を樹脂加工した繊維芯、または、各種のプラスチック粉末などを焼結した焼結芯（ポーラス体）などから構成される筆記部となるペン芯であり、インクタンク１０の先端部に取り付けられた先軸１５の貫通孔１５ａに固着される構造となっている。先軸１５の後端側は、インクタンク１０の前端開口部１０ａに嵌合等により固着される固着部１５ｂとなっている。
本実施形態では、ペン先となるペン芯２０は、ポリエチレンテレフタレート（ＰＥＴ）繊維からなる繊維束芯により構成されている。
【００１６】
インクタンク１０に収容するインク２５としては、水性インク、油性インク、ゲルインクなど特に限定されるものでない。用いるインク組成としては、その用途（水性インク、油性インク、ゲルインク等）、筆記具種（マーキングペン、ボールペン等）に応じて顔料（樹脂顔料含む）、染料などの着色剤、主溶剤、樹脂、増粘剤及び筆記具用のインクに含有される任意成分などを用いることができる。
任意成分としては、例えば、インクに悪影響を及ぼさず相溶することができる防錆剤、防黴剤、界面活性剤、潤滑剤及び湿潤剤等を含有することができる。ボールペン用のインクでは、脂肪酸などは潤滑剤として好適に使用できる。また、乾燥抑制用添加剤として製品特性上、悪影響を及ぼさない範囲で主溶剤に相溶する不揮発性溶剤等も含有することができる。
本実施形態では、インクは、水性サインペン用インクにより構成されている。
【００１７】
フォロワ（追従体）３０は、筆記時にインクの消費に伴って追従するものであり、インクに使用する溶剤に対して低透過性、低拡散性となるものが好ましく、そのベースとしては不揮発性や難揮発性の流動体、具体的には、ポリブテンや流動パラフィン
などを使用することができる。
これらの物質の粘度が低い場合には、増粘剤やゲル化剤を用いることが好ましい。具体的には、金属セッケン類、ベントナイト類、脂肪酸アマイド類、水添ヒマシ油類、酸化チタンやシリカやアルミナ等を含む金属微粒子類、セルロース類、エラストマー類等が挙げられる。本実施形態では、フォロワ（追従体）３０は鉱油と増粘剤により構成されている。
【００１８】
この筆記具Ａでは、上記フォロワ（追従体）３０が充填された状態で、フォロワ３０の後部とインクタンク１０の後端側との間に空間部１２が形成され、該空間部１２に毛管力を付与した毛管多孔体４０が配置される構成となっている。具体的には、インクタンク１０の後端開口部１０ｂに、該開口部１０ｂを封止する尾栓となる部材３５が取り付けられている。この部材３５は、蓋部３５ａと、中央部に形成した貫通孔３５ｂと、該貫通孔３５ｂの周面に形成したスリット部３５ｃ，３５ｃ…と、貫通孔３５ｂの先端側に毛管多孔体４０の前端部を保持する段部３５ｄとリブ部３５ｅとから構成され、上記スリット部３５ｃ…を有する貫通孔３５ｂに毛管力を付与した毛管多孔体４０を接触状態で取り付けることにより、空間部１２に毛管力を付与した毛管多孔体４０が配置される構成となっている。
【００１９】
この毛管多孔体４０は、毛管力が付与された多孔体から構成されるものであれば、特に限定されず、例えば、繊維束、焼結体、フェルト等の繊維束を加工又はこれらの繊維束を樹脂加工した繊維芯、スポンジ等の発泡材などから選択される多孔体に、鉱油、プロセスオイル、シリコンオイル、イオン性液体などの液体を含芯させたものを挙げることができる。
好ましくは、揮発防止の点から、蒸気圧の低いプロセスオイルなどから構成されるものが望ましい。
この毛管多孔体４０により、インクがペン先２０から排出されると空気を取り込む為、筆記は可能であり、筆記を止めた場合は、空間内１２の減圧状態を保持することが可能となり、インクの直流を防止するものとなる。また、上記部材３５の貫通孔３５ｂの周面に形成したスリット部３５ｃ，３５ｃ…により、空気を取り込む際に多孔体中のオイルが移動してもスリット部３５ｃ，３５ｃ…で一時保持されるため、液体の液ダレを防止することができる。
本実施形態では、繊維束芯とプロセスオイルとの組み合わせから構成されている。
【００２０】
キャップ体５０は、筆記具本体（軸部）となるインクタンク１０の前端側に着脱自在に装着される本体部５１と、内部にペン先２０の突出部分全体をシールするニトリルゴム（ＮＢＲ）、ブチルゴム（ＩＩＲ）等のゴム、熱可塑性エラストマー、軟質樹脂などで構成されたシール部材５２を装着する内筒部５３とを有している。このキャップ体５０をインクタンク１０の前端側に装着することにより、先軸１５から突出したペン芯２０の部分全体がシール部材５２によりシールされて、インクタンクの内圧変化の際に、ペン先２０からの直流現象を防止するものとなる。本実施形態のシール部材は、ブチルゴム（ＩＩＲ）から構成されている。
【００２１】
本実施形態では、上向き筆記をできるようにするために、ペン先２０側に付与された毛管力（Ｍ１）がインクの自重（Ｍ２）と筆記具後部の毛管力（Ｍ３）との総和より大きく設定〔Ｍ１＞（Ｍ２＋Ｍ３）〕に設定されている。このＭ１＞（Ｍ２＋Ｍ３）とすることにより、上向きに筆記した場合でもペン先から空気が混入するのを防止
することができ、上向き筆記したときのインクの逆流を防止することができる。
【００２２】
このように構成される本第１実施形態の筆記具Ａでは、フォロワ３０の上部に空間部１２を設け、その空間部１２の上部に毛管多孔体４０を備えているので、筆記の際はインク排出により、フォロワ３０と毛管多孔体４０の間の空間部１２が減圧状態となり、減圧が毛管多孔体４０の毛管力以上になると、毛管多孔体４０へ空気（気泡）が侵入し、通常通り、筆記が可能となる。一方、筆記を終えると、上記で発生した気泡は、破泡し、毛管多孔体４０に液体が染み込み毛管力が復元し、インクの自重を支えることができる。このようなサイクルにより、ペン先に掛かるインクの流動圧を一定圧に制御して、インク直流現象・逆流現象を防止したマーキングペンに好適な筆記具が得られるものとなる。また、本第１実施形態の筆記具Ａでは、キャップ体５０の装着時には、ペン芯２０の突出部分全体がシール部材５２によりシールされているので、インクタンクの加温等の内圧変化の際にも、保管時におけるペン先２０からの直流現象を防止するものとなる。
【００２３】
次に、図３〜図７は、本発明の筆記具の他例（第２実施形態〜第６実施形態）を示すものであり、上記図１及び図２の第１実施形態と比較して、図３〜図５は、毛管力を付与した毛管多孔体４０の配置構造を代えた各構造であり、図６〜図７は、ペン先の構造を代えた各構造であり、これらの各構造以外は、上記第１実施形態（図１及び図２）と同様であるので、同一の図示符号を示して、その説明を省略する。なお、図３〜図５の各筆記具において、ペン先２０の突出部分全体をシールするキャップ体５０は、上記第１実施形態と同様であるので、その図示は省略する。
【００２４】
図３の第２実施形態となる筆記具Ｂは、上記第１実施形態の筆記具Ａにおいて、毛管力を付与した毛管多孔体４０が貫通孔３５ｂの先端側に設けたリブ部３５ｅを介することなくなく、配置された構造となるものである。
図４の第３実施形態となる筆記具Ｃは、上記第１実施形態の筆記具Ａにおいて、貫通孔３５ｂの先端側に形成した段部３５ｄとリブ部３５ｅを介することなく、毛管力を付与した毛管多孔体４０が貫通孔３５ｂの途中の周面に形成した凸状保持部３５ｆにより保持されるものであり、該凸状保持部３５ｆに嵌合により保持されるように、毛管力を付与した毛管多孔体４０にも凹状の保持部４１が形成されて、該毛管多孔体４０が貫通孔３５ｂ内に配置された構造となるものである。
図５の第４実施形態となる筆記具Ｄは、上記第１実施形態の筆記具Ａにおいて、貫通孔３５ｂの周面に形成したスリット部３５ｃ，３５ｃ…、前端側のリブ部３５ｅを形成することなく、毛管力を付与した毛管多孔体４０が段部３５ｄにより保持されて、該毛管多孔体４０が貫通孔３５ｂ内に配置された構造となるものである。
【００２５】
この図３〜図５に示す第２実施形態〜第４実施形態の各筆記具Ｂ〜Ｄにおいても、上述の第１実施形態の筆記具Ａと同様に、筆記の際はインク排出により、フォロワ３０と毛管多孔体４０の間の空間部１２が減圧状態となり、減圧が毛管多孔体４０の毛管力以上になると、毛管多孔体４０が切れ空気が混入するため、通常通り、筆記が可能となり、また、筆記を終えると、再び毛管多孔体４０に液体が染み込み毛管力が復元し、液の自重を支えることができることとなるため、ペン先に掛かるインクの流動圧を一定圧に制御して、インク直流現象・逆流現象を防止したマーキングペンに好適な筆記具が得られるものとなる。
【００２６】
図６の第５実施形態となる筆記具Ｅは、上記第１実施形態の筆記具Ａにおいて、ペン先（ペン芯）２０を、繊維芯、焼結芯（ポーラス体）等で構成する代わりに、先軸１５の固着部１５ｂ内に設けた中継芯１６を介して各種のプラスチック材の軸方向にインキ溝を形成したプラスチック芯で構成した点でのみ異なるものであり、上述の第１実施形態の筆記具Ａと同様に、ペン先に掛かるインクの流動圧を一定圧に制御して、インク直流現象・逆流現象を防止したペン先がプラスチック芯で構成した筆記具が得られるものとなる。
【００２７】
図７の第６実施形態となる筆記具Ｆは、上記第１実施形態の筆記具Ａにおいて、ペン先（ペン芯）２０を、繊維芯、焼結芯（ポーラス体）等で構成する代わりに、先軸１５の固着部１５ｂ内に設けた中継芯１６を介して筆記ボールを内蔵するボールペンチップで構成した点でのみ異なるものであり、上述の第１実施形態の筆記具Ａと同様に、ペン先に掛かるインクの流動圧を一定圧に制御して、インク直流現象・逆流現象を防止したボールペンックからなる筆記具が得られるものとなる。
【００２８】
本発明は、上記実施形態に限定されるものでなく、本発明の要旨を変更しない範囲で種々の形態に変更することができる。
【実施例】
【００２９】
次に、実施例により、本発明を更に詳述するが、本発明は下記実施例に限定されるものではない。
【００３０】
〔実施例１：マーキングペン、図１及び図２準拠〕
（筆記具本体１０、先軸１５の構成）
筆記具本体（インクタンク）、先軸の構成：ＰＰ製
筆記具本体（インクタンク）：肉厚（厚さ）０．７ｍｍ、長さ１００ｍｍ、直径５．５ｍｍ
（ペン先２０の構成）
筆記部ペン芯：ＰＥ製焼結芯、気孔率６０％、長さ８ｍｍ、直径３ｍｍ
（部材３５の構成）
部材（尾栓）：ＰＰ製、貫通孔：直径３ｍｍ、スリット孔：３．３ｍｍ、長さ５ｍｍ
（毛管多孔体４０の構成）
毛管多孔体：アクリル繊維束芯製、気孔率６０％、長さ５ｍｍ、直径３ｍｍ
液体：松村石油株式会社製：バーレルプロセス油  Ｐ−２６
（キャップ体５０の構成）
本体：ポリプロピレン製、シール部材：ブチルゴム製
【００３１】
（インク２５、フォロワ３０の組成）
インクとして、下記組成の蛍光桃インクを使用した。
色材  ：ＶＣトナー桃（御国色素社製）              ３０質量部
湿潤剤：グリセリン                                ２５質量部
防腐剤：バイオエース（ケイアイ化成社製）        ０．７質量部
イオン交換水                                  ４４．３質量部
フォロワとして、下記組成の配合で加熱攪拌を１時間行い、フォロワを得た。
鉱油（ＰＷ−９０：出光興産社製）                  ９５質量部
増粘剤（ＴＰＯ５：日本プラス工業社製）              ５質量部
【００３２】
このように構成される実施例１のマーキングペンタイプの筆記具を用いて、筆記の際は、通常通り、筆記が可能となり、また、筆記を終えても、インクの直流もなく、ペン先に掛かるインクの流動圧が一定圧に制御でき、インク直流現象・逆流現象を防止したマーキングペンが得られることが分かった。
【００３３】
〔実施例２：ボールペン、図７準拠〕
（実施例１と異なる筆記具部材の構成）
下記中継芯、ペン先、インク以外の構成（筆記具本体、先軸、部材、毛管多孔体、キャップ体、フォロワ）は上記実施例１の構成と同様。
中継芯：ＰＥＴ繊維束、気孔率６０％、φ５×５ｍｍ
ペン先（ボールペンチップ）：ステンレス製チップ（超硬合金ボール、ボール径０．５ｍｍ
インクとして、下記組成のボールペン用インク（全量１００質量部）を使用した。
色材：カーボンブラック                              ８．０質量部
分散剤：スチレンマレイン酸樹脂アンモニウム塩        ３．０質量部
潤滑剤：カリ石鹸                                    ０．５質量部
液体媒体：プロピレングリコール                    ２０．０質量部
防腐剤：1、2−ベンズイソチアゾロン塩                ０．３質量部
ｐＨ調整剤：アミノメチルプロパノール                ０．３質量部
防錆剤：ベンゾトリアゾール                          ０．２質量部
粘度調整剤：架橋型アクリル酸重合体                  ０．４質量部
イオン交換水                                            残  部
このように構成される実施例２のボールペンタイプの筆記具を用いて、筆記の際は、通常通り、筆記が可能となり、また、筆記を終えても、インクの直流もなく、ペン先に掛かるインクの流動圧が一定圧に制御でき、インク直流現象・逆流現象を防止したボールペンが得られることが分かった。
【産業上の利用可能性】
【００３４】
本発明の筆記具では、ボールペンや、アンダーラインペン、油性マーカー、水性マーカーなどのマーキングペンに好適に使用することができる。
【符号の説明】
【００３５】
Ａ  筆記具
１０  筆記具本体（インクタンク）
１５  先軸
２０  ペン先
２５  インク
３０  フォロワ（追従体）
４０  毛管多孔体
５０  キャップ体
【図１】
2014108600.tif 000003
【図２】
2014108600.tif 000004
【図３】
2014108600.tif 000005
【図４】
2014108600.tif 000006
【図５】
2014108600.tif 000007
【図６】
2014108600.tif 000008
【図７】
2014108600.tif 000009